(57)【特許請求の範囲】
【請求項１】
内刃クリーニング用の清掃具Ｇが、かみそりヘッド４に対して着脱自在に装着してあり、振動子８の駆動方向と交差する向きに回動変位した内刃５を往復駆動しながら、清掃具Ｇに設けたブラシ２２で内刃５をクリーニングする往復動型の電気かみそりであって、
清掃具Ｇは、かみそりヘッド４に回動可能に支持されるキャップ２１と、キャップ２１に設けたブラシ２２とを含み、
かみそりヘッド４に清掃具Ｇを装着した状態において、内刃５をキャップ２１で通常位置と清掃位置とに変位操作できるようにしたことを特徴とする往復動型の電気かみそり。
【請求項２】
清掃具Ｇが、かみそりヘッド４に装着される基枠２０と、基枠２０に回動可能に支持したキャップ２１と、キャップ２１の内面に設けたブラシ２２とで構成してある請求項１記載の往復動型の電気かみそり。
【請求項３】
清掃具Ｇとかみそりヘッド４との間に、清掃位置において清掃具Ｇがかみそりヘッド４から抜け外れるのを阻止するロック機構を設けてある請求項１または２記載の往復動型の電気かみそり。
【請求項４】
かみそりヘッド４に清掃具Ｇを装着した状態において、通常位置にある内刃５を接当保持する規制片３２が清掃具Ｇに設けられており、
清掃位置における内刃５とブラシ２２と回動方向のずれを規制できる請求項１、２または３記載の往復動型の電気かみそり。
【請求項５】
キャップ２１の周壁に洗浄水の出入りを許す通水口２７が開口している請求項１、２、３または４記載の往復動型の電気かみそり。
【請求項６】
キャップ２１が、トンネル断面状のアーチ壁２５と、アーチ壁２５の両側端を塞ぐ端壁２６とを含んでおり、
清掃位置における内刃５の周囲がキャップ２１で接触不能に覆われている請求項１、２、３、４または５記載の往復動型の電気かみそり。
【発明の詳細な説明】
【０００１】
【発明の属する技術分野】
この発明は、内刃を常態から９０度回動変位した姿勢でクリーニングする清掃具を備えた往復動型の電気かみそりに関する。
【０００２】
【従来の技術】
この種の清掃具を備えた電気かみそりは、実開昭５９−４００７８号公報や実開昭６０−１５１４８４号公報に公知である。いずれも、かみそりヘッドに圧嵌係合される取付枠と、取付枠の長手方向辺部に直交するブラシ台とを備えており、ブラシ台の下面にクリーニング用のブラシが植設されている。
【０００３】
【発明が解決しようとする課題】
このように、内刃を常態から９０度回動変位してクリーニングを行う清掃形態によれば、ブラシ毛と刃体とが刃溝に沿って相対スライドするので、刃体に付着の毛屑や皮脂等を良く清掃除去できる。しかし、次のような問題がある。
【０００４】
清掃時には、外刃ホルダーをかみそりヘッドから取り外し、内刃を駆動軸のまわりに９０度回動変位した後、清掃具をかみそりヘッドに装着する。このとき、剥き出し状態の内刃を指先で回動操作するので、誤ってスイッチをオン操作すると、怪我をすることがある。清掃状態においても、内刃の殆どの部分が剥き出し状態になるので、往復駆動される内刃に触れて負傷することもある。清掃前の内刃には、毛屑や皮脂等が付着しているので、指先で内刃を操作することに衛生上の問題点がある。内刃を回動変位した後、清掃具をかみそりヘッドに装着するので、内刃の回動後の姿勢が不適切であると、清掃具をかみそりヘッドに装着できないことがあり、その位置修正に手間取る不便もある。
【０００５】
この発明の目的は、内刃をひげそり時の駆動方向と交差する向きに変位した状態でクリーニングを行うのに好適な清掃具を備えた電気かみそりを提供することにある。この発明の目的は、ブラシが設けられるキャップを回動操作することによって、内刃を通常位置から清掃位置へと変位操作でき、従って内刃を変位するとき誤ってスイッチがオン操作されても負傷するのを防止でき、安全性を確保することにある。
【０００６】
この発明の更に他の目的は、内刃クリーニング時に清掃具をかみそりヘッドから取り外すことができず、従ってクリーニング途中に内刃が剥き出し状態のままで駆動されるのを確実に防止でき、安全性に優れた清掃具付きの電気かみそりを提供することにある。この発明の他の目的は、内刃をキャップで清掃位置へ変位操作した状態において、ブラシと内刃との接触状態を適正化して、クリーニングをより効果的に行うことにある。
【０００７】
この発明の別の目的は、ブラシによる掻き落とし作用に加えて、水の洗い流し作用によっても内刃をクリーニングできる、水洗式の清掃具を備えた電気かみそりを提供することにある。この発明の更に別の他の目的は、クリーニング時に誤って内刃に触れるのを防止して、クリーニング時の安全性を向上できる電気かみそりを提供することにある。
【０００８】
【課題を解決するための手段】
この発明は、内刃クリーニング用の清掃具Ｇが、かみそりヘッド４に対して着脱自在に装着してあり、振動子８の駆動方向と交差する向きに回動変位した内刃５を往復駆動しながら、清掃具Ｇに設けたブラシ２２で内刃５をクリーニングする往復動型の電気かみそりである。清掃具Ｇは、かみそりヘッドに回動可能に支持されるキャップ２１と、キャップ２１に設けたブラシ２２とを含み、かみそりヘッド４に清掃具Ｇを装着した状態において、内刃５をキャップ２１で通常位置と清掃位置とに変位操作できることを特徴とする。
【０００９】
清掃具Ｇは、かみそりヘッド４に装着される基枠２０と、基枠２０で回動可能に支持したキャップ２１と、キャップ２１の内面に設けたブラシ２２とで構成する。清掃具Ｇとかみそりヘッド４との間は、清掃位置において清掃具Ｇがかみそりヘッド４から抜け外れるのを阻止するロック機構が設けられている。
【００１０】
かみそりヘッド４に清掃具Ｇを装着した状態において、通常位置にある内刃５を接当保持するための規制片３２を清掃具Ｇに設ける。以て、清掃位置における内刃５とブラシ２２の回動方向のずれを規制する。キャップ２１の周壁は洗浄水の出入りを許す通水口２７が開口されている。
【００１１】
キャップ２１は、トンネル断面状のアーチ壁２５と、アーチ壁２５の両側端を塞ぐ端壁２６とを含み、清掃位置における内刃５の周囲をキャップ２１で接触不能に覆っている。
【００１２】
【作用および発明の効果】
かみそりヘッド４に清掃具Ｇを装着し、そのキャップ２１を回動操作すると、内刃５をキャップ２１と同行変位させ、振動子８の駆動方向と交差する清掃位置へと操作するので、たとえその途中にスイッチをオン操作しても負傷することはない。
【００１３】
清掃具Ｇはかみそりヘッド４に装着される基枠２０と、基枠２０に回動可能に支持されるキャップ２１とを有するので、キャップ２１と基枠２０との間に、キャップ２１を回転可能に支持するための構造を設けることができ、この構造をかみそりヘッド４側に設ける場合に比べて、かみそりヘッドの構造が特殊化するのを避けられる。従って、既存の電気かみそりにも清掃具Ｇを適用できる。
【００１４】
ロック機構を備えている電気かみそりによれば、クリーニング時に清掃具Ｇがかみそりヘッド４から抜け出るのを防止して、内刃５が剥き出しの状態のままで駆動されるのを阻止できる。
【００１５】
【実施例】
図１ないし図５はこの発明に係る電気かみそりの実施例を示す。図２において電気かみそりは、モータ１や電池２などを収容する本体部３を有し、本体部３の上方のかみそりヘッド４には、内刃５と、外刃６をアーチ形に保持する外刃ホルダー７とを備えている。モータ１の回転動力は振動子８を介して往復振動に変換された後、振動子８の上面に突設した駆動軸９を介して内刃５に伝わる。内刃５は、平行に配置した一群のブレード５ａと、ブレード郡を固定支持するプラスチック製の基枠５ｂとからなり、基枠５ｂが駆動軸９で回転自在に軸支されており、さらに駆動軸９の軸心に沿って上下スライドできる。１０は内刃５を外刃６の側へ向ってスライド付勢するばねである。図２において本体部３の前面側には、モータ起動用のスイッチをオンオフ操作するスイッチノブ１１が設けてある。
【００１６】
かみそりヘッド４は本体部３の左右横長の角形断面形状よりひと回り小さな相似断面形状に形成してあり、この嵌合部４ａに外刃ホルダー７が外嵌状に装着され、左右一対のロック爪１３で外刃ホルダー７の係合部７ａを抜け止め保持している。ロック爪１３の下端に設けたボタン１４をばね１５の付勢力に抗して押し込むと、ロック爪１３と外刃ホルダー７の係合状態が解除されて、外刃ホルダー７をかみそりヘッド４から取り外すことができる。
【００１７】
内刃５を振動子８の左右の駆動方向と直交する状態へ変位操作し、さらに内刃５を往復駆動しながらクリーニングを行うために、クリーニング専用の清掃具Ｇを有する。図３に示すように清掃具Ｇは、かみそりヘッド４に装着される基枠２０と、基枠２０に相対回動可能に支持されるキャップ２１と、キャップ２１の内面に設けたブラシ２２とで構成する。
【００１８】
その基枠２０は、上下面が開口する左右横長の断面角形状のプラスチック枠体からなり、先の嵌合部４ａに外嵌状に装着される。基枠２０の左右両側壁の内面には外刃ホルダー７と同じ係合部２３が設けてあり、この係合部２３をロック爪１３で係合保持することにより装着状態を維持できる。基枠２０の前後壁の上端中央には、部分円弧状のガイドリブ２４を一体に突出形成する。これらのリブ２４の円弧中心は内刃５の回動中心と一致しており、これらのガイドリブ２４でキャップ２１を回動可能に支持する。かみそりヘッド４に装着した状態における基枠２０の上端開口面は、かみそりヘッド４の上端面より僅かに上方に位置している。
【００１９】
キャップ２１は、図３に示すごとくトンネル断面状のアーチ壁２５と、アーチ壁２５の左右両側端を塞ぐ一対の端壁２６とを有するプラスチック成形品からなり、アーチ壁２５の前後面のそれぞれに水洗い用の一群の通水口２７が開口している。キャップ２１の前後壁の下端中央に、先のガイドリブ２４に係合して回動案内される部分円弧状の旋回リブ２８を一体に設ける。図４に示すように、ガイドリブ２４と旋回リブ２８とは、上下に係合し合って互いに抜け外れ不能に接合している。前後の旋回リブ２８の周長は、前後のガイドリブ２４の欠落部分の周長より大きく寸法設定する。これは、キャップ２１を回動操作して、その長手方向線が基枠２０の長手方向線と直交する状態においても、両リブ２４・２８の係合状態を維持し続けるためである。
【００２０】
ブラシ２２は、ブラシ台３０と、その下面に植設した一群のブラシ毛３１とからなり、ブラシ台３０をキャップ２１の天井壁の内面に固定して、キャップ２１と一体化する。外刃ホルダー７を取り外した後、清掃具Ｇをかみそりヘッド４に装着することにより、一群のブラシ毛３１の下端は通常位置にある内刃５のブレード５ａの間に入り込む。この状態のキャップ２１の内面は、内刃５と小さな隙間をあけて対向している。そのためキャップ２１をねじると、先の隙間分だけ内刃５が遅れてキャップ２１と同行回動する。従って、キャップ２１を元の位置から９０度回動操作しても、内刃５の回動角は９０度に達しない。
【００２１】
上記のような不都合を解決するために、図１および図５に示すようにキャップ２１の内面にずれ止め用の規制片３２を設け、清掃具Ｇを外刃ホルダー７と換装した状態において、規制片３２が内刃５の両側端寄りの前後面に接当するようにしてある。各規制片３２はキャップ２１の内面上部から下向きに延びる片持ち梁状の弾性腕からなり、クリーニング時の内刃５の往復駆動に追随して規制片３２も往復変形する。
【００２２】
以上のように構成した清掃具Ｇによれば、外刃ホルダー７を取外した後、基枠２０をかみそりヘッド４の嵌合部４ａに装着し、キャップ２１を回動操作することにより、内刃５をキャップ２１と同行して回動させ、その長手中心線を振動子８の往復駆動方向と直交させて清掃位置へ変位させることができる。この状態でキャップ２１の通水口２７に流水を流しかけながら、あるいは溜め置いた水の中にキャップ２１の全体を浸漬した状態でスイッチノブ１１をオン操作することにより、ブラシ毛３１が内刃５の個々の刃体の面壁に沿って相対スライドし、かつ水の洗い流し作用によって、ブラシ毛３１で刃体に付着した毛屑や皮脂などを確実に清掃除去できる。
【００２３】
クリーニングが終わったら、キャップ２１を元の状態へ戻して内刃５を通常位置へ復帰させ、ロック爪１３のボタン１４を押し込み操作することにより、清掃具Ｇの全体をかみそりヘッド４から取り外す。この後、水気を切って再び外刃ホルダー７をかみそりヘッド４に装着することになる。
【００２４】
先に説明したようにクリーニング時には、旋回リブ２８は欠落部を跨ぐようにして前後のガイドリブ２４と係合している。その一方で、内刃５はかみそりヘッド４の前後面に突出する姿勢になっている。従って、この状態のままで、ボタン１４を操作してロック爪１３と係合部２３との係合を解除したとしても、基枠２０が内刃に引っ掛かるので、清掃具Ｇをかみそりヘッド４から取り外すことはできない。
【００２５】
上記の実施例では、基枠２０とキャップ２１とブラシ２２との三者で清掃具Ｇを構成したがその必要はない。例えば図６および図７に示すように、かみそりヘッド４の上端面の左右に、ガイドリブ２４を設けておき、キャップ２１を内刃５に被せ付けた後、その旋回リブ２８をガイドリブ２４に係合して回動することにより、内刃５を通常位置から清掃位置へと回動操作できるようにしてもよい。この実施例の場合にも、キャップ２１を回動して内刃５を通常位置へ戻さない限りは、かみそりヘッド４から取り外すことはできない。つまり、この実施例におけるガイドリブ２４と旋回リブ２８とは、クリーニング時の清掃具Ｇの抜け外れを阻止するロック機構を兼ねている。
【００２６】
クリーニング時の内刃５は、キャップ２１の長手方向中心線と直交する向きに往復駆動される。この往復動作を利用して、ブラシ２２を内刃５の移動方向と逆向きに変位操作すると、内刃５とブラシ２２との相対的な摺接ストロークを拡大できる。このとき、内刃５の往復動作はてこを介してブラシ２２に伝わることにより、両者５・２２の動きの方向を容易に逆向きにできる。しかも、適切なてこ比に応じてストロークを拡大できる。以下に、その詳細構造を説明する。
【００２７】
図８に示すように、ブラシ台３０の左右端寄りの前後面に、逆Ｌ字状の４個の支持腕３３を一体に設け、支持腕３３の下端寄りに設けた支点軸３４を、キャップ２１の左右端壁２６に軸支する。この支点軸３４より下側の腕部分は、図９に示すように先の実施例における規制片３２を兼ねて内刃５の前後周面と接当している。支持腕３３とブラシ台３０とは、薄肉のヒンジ部３５を介して繋がっていて、ブラシ２２の全体が４本の支持腕３３を介して浮動支持されている。
【００２８】
従って、例えば内刃５が図９の矢印Ｒ方向へ変位すると、内刃５で押された側の支持腕３３が支点軸３４を中心にしてＳ方向へ傾動する。しかも、支持腕３３は支点軸３４より上側の部分が下側の部分より大きなストロークで傾動する。内刃５が矢印Ｒと逆向きに変位する場合にも、同様に支持腕３３を逆向きに増幅して傾動できる。その結果、内刃５に付着した毛屑や皮脂をより効果的にクリーニングできる。
【００２９】
上記の実施例以外に、清掃具Ｇは水洗いを併用しない場合の清掃具とすることができ、この場合には通水口２７を省略できる。基枠２０は外刃ホルダー７の装着構造を利用してかみそりヘッド４に装着する必要はなく、それ専用の接合構造をかみそりヘッド４に設けておくことができる。この発明は、内刃５を複数個備えている形態の電気かみそりにも適用できる。クリーニング時の内刃は、振動子８の駆動方向に対して直交しているのが好ましいが、必要であれば非直交姿勢でクリーニングを行うこともできる。キャップ２１の断面形状はトンネル断面以外の断面形にすることができ、周面の殆どに通水口２７を開口してもよい。
【図面の簡単な説明】
【図１】清掃具をかみそりヘッドに装着した状態の縦断側面図である。
【図２】外刃ホルダーと清掃具を分離した状態の電気かみそりの正面図である。
【図３】清掃具の分解斜視図である。
【図４】クリーニング時の清掃具の縦断側面図である。
【図５】図４におけるＡ−Ａ線断面図である。
【図６】清掃具の別実施例を示す縦断側面図である。
【図７】図６におけるＢ−Ｂ線断面図である。
【図８】清掃具のさらに異なる別実施例を示す縦断正面図である。
【図９】キャップをねじた状態の断面図である。
【符号の説明】
３  本体部
４  かみそりヘッド
４ａ  嵌合部
５  内刃
８  振動子
２０  基枠
２１  キャップ
２２  ブラシ
Ｇ  清掃具
【図１】
0004301418.tif 000002
【図２】
0004301418.tif 000003
【図３】
0004301418.tif 000004
【図４】
0004301418.tif 000005
【図５】
0004301418.tif 000006
【図６】
0004301418.tif 000007
【図７】
0004301418.tif 000008
【図８】
0004301418.tif 000009
【図９】
0004301418.tif 000010